【手続補正書】
【提出日】令和1年6月25日(2019.6.25)
【手続補正１】
【補正対象書類名】明細書
【補正対象項目名】００７６
【補正方法】変更
【補正の内容】
【００７６】
他の実施態様は、以下の特許請求の範囲内である。
本件出願は、以下の構成の発明を提供する。
（構成１）
視聴者映像参加テレビジョンシステムであって：
インターネットを介した異なる発信者からの複数のビデオ通話を接続するための2つ以上のビデオ通話中央処理ユニット；
該ビデオ通話中央処理ユニットからのビデオをテレビジョンビデオに変換するための2つ以上のビデオ変換器；
放映される少なくとも1つのビデオ通話を選択するための、出演タレントによって使用される選択モジュール；及び
ビデオ配給業者に生で送信するためにビデオ通話信号を準備するための符号化ユニット；を含む、前記視聴者映像参加テレビジョンシステム。
（構成２）
各ビデオ通話中央処理ユニットがビデオ通話専用である、構成1記載の視聴者映像参加テレビジョンシステム。
（構成３）
各ビデオ通話中央処理ユニットが、ビデオ通話を発信及び受信するためのものである、構成1記載の視聴者映像参加テレビジョンシステム。
（構成４）
各ビデオ通話中央処理ユニットが、前記ビデオ通話を生のテレビジョン制作に使用可能なビデオ信号に変換する前に、該ビデオ通話のサイズ及び位置をコンピュータ画面上で設定する、構成1記載の視聴者映像参加テレビジョンシステム。
（構成５）
各ビデオ通話中央処理ユニットが、発信者の文字識別又はビデオ通話文字オーバーレイを生成し、前記ビデオ通話を、現在は該ビデオ通話に統合された文字と共に生のテレビジョンで使用可能なビデオ信号に変換する前に、このような文字識別を該ビデオ通話上に配置する、構成1記載の視聴者映像参加テレビジョンシステム。
（構成６）
各ビデオ通話中央処理ユニットが、他の通話特性と共にデータベースに保存するために前記文字識別を準備する、構成1記載の視聴者映像参加テレビジョンシステム。
（構成７）
前記文字識別を手動で生成することができる、構成5記載の視聴者映像参加テレビジョンシステム。
（構成８）
前記文字識別を自動で生成することができる、構成5記載の視聴者映像参加テレビジョンシステム。
（構成９）
各ビデオ通話中央処理ユニットが、他の通話特性と共にデータベースに保存するために前記文字識別を準備する、構成1記載の視聴者映像参加テレビジョンシステム。
（構成１０）
各ビデオ通話中央処理ユニットが、前記ビデオ通話についての埋め込まれた情報を収集して、他の通話特性と共にデータベースに保存するためにこのような情報を準備する、構成1記載の視聴者映像参加テレビジョンシステム。
（構成１１）
各ビデオ通話中央処理ユニットが、データベースに保存するための準備及び前記出演タレントの別の表示の両方のためにリアルタイムでのプロデューサの注記の入力を可能にする、構成1記載の視聴者映像参加テレビジョンシステム。
（構成１２）
各ビデオ通話中央処理ユニットが、別のビデオ通話中央処理ユニットによって動作するデータベースと通信して、該データベースに情報を保存する、構成1記載の視聴者映像参加テレビジョンシステム。
（構成１３）
各ビデオ通話中央処理ユニットが、遠隔データベースに以前に保存された情報を表示することを可能にする、構成1記載の視聴者映像参加テレビジョンシステム。
（構成１４）
テレビジョンビデオ変換器をさらに含み、該テレビジョンビデオ変換器が、標準的なコンピュータビデオ出力によってビデオの選択された部分を取り出して、通常のテレビジョン制作機器が使用可能な信号に該ビデオを変換する、構成1記載の視聴者映像参加テレビジョンシステム。
（構成１５）
テレビジョンビデオミキシングモジュールをさらに含み、該テレビジョンビデオミキシングモジュールが、前記ビデオ通話から生成される様々なテレビジョンビデオの選択を可能にする、構成1記載の視聴者映像参加テレビジョンシステム。
（構成１６）
前記選択モジュールが、放映される少なくとも1つのビデオ通話を複数の通話から選択するために前記出演タレントによって使用されるタッチスクリーン表示選択装置を含む、構成1記載の視聴者映像参加テレビジョンシステム。
（構成１７）
全ての発信者が、互いにかつ前記出演タレントの音声を聞くことができるが、該発信者自身は聞くことができないように前記各ビデオ通話中央処理ユニットに、従って個々の発信者に、個別の音声を戻すための特殊な音声ミキサーをさらに含む、構成2記載の視聴者映像参加テレビジョンシステム。
（構成１８）
ビデオ通話データベース用の別のビデオ通話中央処理ユニット、及び前記ビデオ通話中央処理ユニットに対する任意のプロデューサ中央制御装置をさらに含む、構成1記載の視聴者映像参加テレビジョンシステム。
（構成１９）
前記発信者の話題又は特徴及びテレビ番組を調整するために必要な他の情報に関するプロデューサからの文字メッセージを含む前記出演タレント用の情報表示モジュールをさらに含む、構成1記載の視聴者映像参加テレビジョンシステム。
（構成２０）
前記出演タレントを撮影する少なくとも1つのビデオカメラをさらに含む、構成1記載の視聴者映像参加テレビジョンシステム。
（構成２１）
前記選択モジュールが、前記出演タレントが望ましい場合に多数の発信者の音声を追加することを可能にする人間工学的に設計された会議用制御装置を含む、構成1記載の視聴者映像参加テレビジョンシステム。
（構成２２）
前記人間工学的に設計された会議用制御装置が、前記出演タレントが必要に応じて1人の発信者に対して音声システムを選択することをさらに可能にする、構成21記載の視聴者映像参加テレビジョンシステム。
（構成２３）
前記人間工学的に設計された会議用制御装置が、前記出演タレントが必要な場合に全ての発信者からの音声を中断することをさらに可能にする、構成21記載の視聴者映像参加テレビジョンシステム。
（構成２４）
前記人間工学的に設計された会議用制御装置が、前記出演タレントが待機中の多数の発信者から1人の発信者の音声及びビデオ信号を選択することをさらに可能にする、構成21記載の視聴者映像参加テレビジョンシステム。
（構成２５）
前記人間工学的に設計された会議用制御装置が、前記出演タレントが同時通話のために待機中の多数の発信者から少なくとも2人の発信者の音声及びビデオ信号を選択することをさらに可能にする、構成24記載の視聴者映像参加テレビジョンシステム。
（構成２６）
前記選択された発信者の1人が主ゲストであり、他の選択された発信者を変更することができる、構成25記載の視聴者映像参加テレビジョンシステム。
（構成２７）
前記人間工学的に設計された会議用制御装置が、少なくとも2人のそれぞれの発信者に対応する少なくとも2つのキーを有し、該人間工学的に設計された会議用制御装置が、前記出演タレントが該発信者に対応する該キーを保持して、同時に該キーを解放することによって同時通話のために少なくとも2人の発信者の音声及びビデオ信号を選択して該同時通話を開始することを可能にする、構成26記載の視聴者映像参加テレビジョンシステム。
（構成２８）
放映中の通話の音声信号とビデオ信号が、前記出演タレントが両方の発信者の音声を継続したままビデオ信号を独立して選択できるように分離される、構成25記載の視聴者映像参加テレビジョンシステム。
（構成２９）
前記人間工学的に設計された会議用制御装置が、前記出演タレントが、出演中の発信者の全ての音声及びビデオを停止し、ビデオ画像を該出演タレントの画像に戻す、構成25記載の視聴者映像参加テレビジョンシステム。
（構成３０）
前記人間工学的に設計された会議用制御装置が、前記出演タレントが必要に応じて1人の発信者に対して音声システムを選択することをさらに可能にする、構成21記載の視聴者映像参加テレビジョンシステム。
（構成３１）
前記ビデオ通話中央処理ユニットにおけるビデオ通話を監視及び制御する機能を有するプロデューサ制御モジュールをさらに含む、構成1記載の視聴者映像参加テレビジョンシステム。
（構成３２）
個別の音声トーンが、各通話中央処理ユニット（通話CPU）に割り当てられ、前記システムが、個々の発信者に関連した装置を識別するために異なる周波数の複数のトーンを使用する、構成1記載の視聴者映像参加テレビジョンシステム。
（構成３３）
2人以上の個々の発信者に関連した通話CPUの特定の組み合わせを識別するために複数のコードを使用する、構成32記載の視聴者映像参加テレビジョンシステム。
（構成３４）
前記周波数の使用により、特定の発信者からの音声が組み合わせられたときに不協和音が生じる、構成32記載の視聴者映像参加テレビジョンシステム。
（構成３５）
以前に生成された特定の周波数のトーンを対応する発信者装置で再生する、構成32記載の視聴者映像参加テレビジョンシステム。
（構成３６）
以前に生成された特定の周波数のトーンを、前記通話CPUを通る受信通話の経路を試験するために再生する、構成32記載の視聴者映像参加テレビジョンシステム。
（構成３７）
前記トーン及び前記コードを使用して受信通話を識別して試験するための自動スイッチを含む、構成33記載の視聴者映像参加テレビジョンシステム。
（構成３８）
視聴者参加テレビジョン放映方法であって：
複数のビデオ通話をインターネットを介して異なる発信者から受信して審査すること；
各ビデオ通話及び発信者の文字識別又はビデオ通話文字オーバーレイを決定して入力すること；及び
放映される少なくとも1つのビデオ通話を出演タレントが選択すること；を含む、前記視聴者参加テレビジョン放映方法。
（構成３９）
前記出演タレントのタッチスクリーン上に出演可能な発信者の画像及びそれらの文字識別又はビデオ通話文字オーバーレイを生成して表示することをさらに含む、構成38記載の視聴者参加テレビジョン放映方法。
（構成４０）
前記出演タレントが、出演ビデオ発信者を切り替えることをさらに含む、構成38記載の視聴者参加テレビジョン放映方法。
（構成４１）
前記出演タレントが、タッチスクリーン上で発信者の画像をタッピングすることによって出演ビデオ発信者を切り替える、構成38記載の視聴者参加テレビジョン放映方法。
（構成４２）
前記文字識別又は前記ビデオ通話文字オーバーレイが画面上のボックスに入力される、構成38記載の視聴者参加テレビジョン放映方法。
（構成４３）
発信者の情報を取り出すことをさらに含む、構成38記載の視聴者参加テレビジョン放映方法。
（構成４４）
前記取り出された発信者の情報から前記文字識別又は前記ビデオ通話文字オーバーレイを生成することをさらに含む、構成43記載の視聴者参加テレビジョン放映方法。
（構成４５）
別の表示でプロデューサが前記ビデオ通話の選択及び前記文字識別又は前記ビデオ通話文字オーバーレイの入力を監視することを含む、構成38記載の視聴者参加テレビジョン放映方法。
（構成４６）
ビデオ配給業者に生で送信するためにビデオ通話信号からテレビジョンビデオを生成することをさらに含む、構成38記載の視聴者参加テレビジョン放映方法。
（構成４７）
ビデオ配給業者に生で送信するためにビデオ通話信号からテレビジョンビデオが生成される前に受信されたビデオに文字入力をすることをさらに含む、構成46記載の視聴者参加テレビジョン放映方法。
（構成４８）
テレビジョンビデオの生成の前に前記文字入力及び前記文字識別又は前記ビデオ通話文字オーバーレイの位置を制御することをさらに含む、構成46記載の視聴者参加テレビジョン放映方法。
（構成４９）
テレビジョンビデオへの変換のために生成される前記文字入力及び前記文字識別又は前記ビデオ通話文字オーバーレイのビデオにおける位置が異なる、構成35記載の視聴者参加テレビジョン放映方法。
（構成５０）
異なる周波数の複数のトーンを使用して個々のビデオ通話を識別することをさらに含む、構成38記載の視聴者参加テレビジョン放映方法。
（構成５１）
複数のコードを使用して2つ以上の個々のビデオ通話の特定の組み合わせを識別することをさらに含む、構成50記載の視聴者参加テレビジョン放映方法。